(57)【要約】【課題】  ディスプレイを保護しながらも、楽しさやデザイン性を演出可能にする。【解決手段】  保護フィルム５は、保護基材層５０と、その背面に形成される接着層５２とを備えるようにし、端末装置のディスプレイに貼り付けられてその表面を保護する。保護基材層５０の背面側又は表面側には、貼り付けられた状態でディスプレイの発光領域内に位置するようなカラー印刷像を印刷する。【選択図】図３
2006091353.tif 000002
【特許請求の範囲】
【請求項１】
保護基材層と該保護基材層の背面に形成される接着層とを備え、端末装置のディスプレイに貼り付けられて該ディスプレイ表面を保護する保護フィルムであって、前記保護基材層の背面側又は表面側において、貼り付けられた状態で前記ディスプレイの発光領域内に位置するようなカラー印刷像が印刷されていることを特徴とする保護フィルム。
【請求項２】
請求項１において、前記保護基材層は、光反射特性及び光透過特性を有することを特徴とする保護フィルム。
【請求項３】
請求項１又は２において、前記保護基材層は、偏向特性を有することを特徴とする保護フィルム。
【請求項４】
請求項１、２又は３において、前記カラー印刷像が最表面に形成されていることを特徴とする保護フィルム。
【請求項５】
請求項１乃至４のいずれかにおいて、前記カラー印刷像は、少なくとも４色カラー印刷によって印刷されていることを特徴とする保護フィルム。
【請求項６】
請求項１乃至５のいずれかにおいて、前記カラー印刷像は微細ドット像の集合を含んでおり、該微細ドット像以外の空間によって、前記ディスプレイの光が前記カラー印刷像を通過可能となっていることを特徴とする保護フィルム。
【請求項７】
請求項１乃至６のいずれかにおいて、前記カラー印刷像は平行する線形像の集合を含んでおり、該線形像以外の空間によって、前記ディスプレイの光が前記カラー印刷像を通過可能となっていることを特徴とする保護フィルム。
【請求項８】
請求項１乃至７のいずれか記載の保護フィルムと、該保護フィルムを内部に収容するパッケージとを備えた保護フィルム流通体であって、前記パッケージには、前記保護フィルムの前記カラー印刷像に対応する壁紙映像を前記端末装置にダウンロード可能なアドレス情報が表示されていることを特徴とする保護フィルム流通体。
【請求項９】
壁紙映像を端末装置に配信可能な情報配信サーバであって、請求項８記載の前記保護フィルム流通体に表示されている前記アドレス情報に基づいて、前記端末装置から通信回線を経由してアクセスを許容すると共に、該アドレス情報に対応して所定の前記壁紙映像を配信可能となっていることを特徴とする情報配信サーバ。
【発明の詳細な説明】
【技術分野】
【０００１】
本発明は、端末装置のディスプレイに貼り付けられてその表面を保護する保護フィルム等に関する。
【背景技術】
【０００２】
従来、携帯電話機等のディスプレイの表面を保護するために、ディスプレイに貼り付ける保護シートが存在する。また近年、携帯電話で電子メールを作成し、送受信することが一般化してきており、ディスプレイのプライバシーを守るために、偏向特性によって視野角を狭めた保護シートや、光を反射するための光反射処理が施された保護シート等が存在するようになっている。
【特許文献１】特開２００３−１５５３１
【発明の開示】
【発明が解決しようとする課題】
【０００３】
しかしながら、このような保護シートは、デザイン性、ファッション性に欠けるという問題があった。特に保護シートの中でも、携帯電話のディスプレイの発行領域内は、ディスプレイ保護機能、或いはプライバシー保護能のみに重点が置かれており、この保護シートを用いて楽しさを演出するという視点は全く存在していないのが実情であった。
【０００４】
本発明は上記問題点に鑑みてなされたものであり、デザイン性に富み、楽しむことが可能な保護シート等を提供することを目的としている。
【課題を解決するための手段】
【０００５】
本発明は以下の手段によって達成されるものである。
【０００６】
（１）保護基材層と該保護基材層の背面に形成される接着層とを備え、端末装置のディスプレイに貼り付けられて該ディスプレイ表面を保護する保護フィルムであって、前記保護基材層の背面側又は表面側において、貼り付けられた状態で前記ディスプレイの発光領域内に位置するようなカラー印刷像が印刷されていることを特徴とする保護フィルム。
【０００７】
（２）上記（１）において、前記保護基材層は、光反射特性及び光透過特性を有することを特徴とする保護フィルム。
【０００８】
（３）上記（１）又は（２）において、前記保護基材層は、偏向特性を有することを特徴とする保護フィルム。
【０００９】
（４）上記（１）、（２）又は（３）において、前記カラー印刷像が最表面に形成されていることを特徴とする保護フィルム。
【００１０】
（５）上記（１）乃至（４）のいずれかにおいて、前記カラー印刷像は、少なくとも４色カラー印刷によって印刷されていることを特徴とする保護フィルム。
【００１１】
（６）上記（１）乃至（５）のいずれかにおいて、前記カラー印刷像は微細ドット像の集合を含んでおり、該微細ドット像以外の空間によって、前記ディスプレイの光が前記カラー印刷像を通過可能となっていることを特徴とする保護フィルム。
【００１２】
（７）上記（１）乃至（６）のいずれかにおいて、前記カラー印刷像は平行する線形像の集合を含んでおり、該線形像以外の空間によって、前記ディスプレイの光が前記カラー印刷像を通過可能となっていることを特徴とする保護フィルム。
【００１３】
（８）上記（１）乃至（７）のいずれか記載の保護フィルムと、該保護フィルムを内部に収容するパッケージとを備えた保護フィルム流通体であって、前記パッケージには、前記保護フィルムの前記カラー印刷像に対応する壁紙映像を前記端末装置にダウンロード可能なアドレス情報が表示されていることを特徴とする保護フィルム流通体。
【発明の効果】
【００１４】
本発明によれば、携帯電話等のディスプレイを保護しながらも、楽しさやデザイン性を高めることが可能になる。
【発明を実施するための最良の形態】
【００１５】
以下、本発明の実施の形態を、添付図面を参照して説明する
【００１６】
図１には、本発明の実施形態に係る壁紙画像配信システム１が示されている。この壁紙画像配信システム１は、壁紙配信サーバ２、携帯電話３、公衆通信回線４、保護フィルム５、商品パッケージ６を備えている。公衆通信回線４は例えばインターネット網であり、携帯電話３と壁紙配信サーバ２を、有線又は無線環境で接続する。保護フィルム５は携帯電話３のディスプレイ３Ａに貼り付けられ、該ディスプレイ３Ａを保護する機能を有している。
【００１７】
商品パッケージ６は、図２に拡大して示されるように、台紙６０とプラスティックカバー６２を備えており、これらによって形成される内部空間に保護フィルム５を収容する。商品パッケージ６と保護フィルム５はこの状態で店頭に並べられ、商品として販売されることになる。又、台紙６０には壁紙配信サーバ２にアクセス可能なＵＲＬ情報６４が印刷されており、携帯電話３によって公衆通信回線４を介して壁紙配信サーバ２と通信することで、所定の壁紙画像をダウンロード可能になっている。なお、ここではＵＲＬ情報６４が印刷されている場合を示したがバーコード情報としてＵＲＬ情報を記載してもよい。又、ＷＷＷサーバに対するアドレス情報以外にも、Ｅメールアドレス等によって電子メールを介した通信によってダウンロード可能にすることも好ましい。例えば、特定のメールアドレス宛に携帯電話３からメールが配信された場合には、自動的に携帯電話３に電子メールを返信し、その電子メールに壁紙画像を添付することによる配信も可能である。
【００１８】
保護フィルム５は、図３に拡大して示されるように、透明の樹脂フィルムからなる保護基材層５０と、保護基材層５０の背面側（ディスプレイ側）に形成される接着層５２と、保護基材層５０の表面側に形成される光反射層５４と、この光反射層５４の更に表面側に形成される印刷層５６とを備えている。保護基材層５０は、ディスプレイ３Ａを保護する機能を有しているが、素材としては、ポリエチレン、ポリプロピレン等のポリオレフィン系、ポリスチレン、ポリエチレンテレフタレート、ポリエチレンイソフタレート等のポリエステル系、アクリル系、ナイロン、ポリ塩化ビニル、エチレンビニルアルコール共重合体、ポリビニルアルコール、ポリ塩化ビニリデン等のホモポリマーまたはコポリマー等の合成樹脂素材のほか、硝子、金属箔等の各種素材を用いることが可能である。なお、ここでは光透過性を有する透明樹脂を用いることが望ましい。
【００１９】
接着層５２は、保護フィルム５をディスプレイ３Ａに接着する機能を有する。接着層５２の素材としては、例えば、ウレタン、シリコン、アクリル等のゴム系接着剤を用いることが出来る。特に、保護フィルム５をいつでも容易にはく離可能な接着剤が好ましく、剥がした後でも接着剤がディスプレイ３Ａに残存しないように考慮する。
【００２０】
光反射層５４は、保護フィルム５の光反射特性を高めることを目的としており、アルミニウム、銀等の金属薄膜によって形成されている。薄膜形成技術としては、真空蒸着、スパッタリング、イオンプレーティング等を用いることが出来る。また、薄膜処理することによって、光反射層５４は光透過特性も備えることになり、ディスプレイ３Ａからの光が透過するようになっている。この結果、ディスプレイ３Ａの表示がＯＦＦの場合は、保護フィルム５が外来光を反射し、その反射光のみが利用者の目に進入するので、保護フィルム５が鏡のように機能する。
【００２１】
また、視線Ｘのようにディスプレイ３Ａをほぼ垂直方向から眺めた場合であって、ディスプレイ３ＡをＯＮにした場合は、反射光（矢印Ｐ）と比較して、保護フィルム３Ａを透過するディスプレイ３Ａの光（矢印Ｑ）が強いので、利用者は違和感無くディスプレイ３Ａの表示を視認できる。更に、視線Ｙのようにディスプレイ３Ａを斜めから眺める人に対しては、その角度に応じてディスプレイ３Ａの光（矢印Ｑ）が弱まる一方、視線方向の金属薄膜の膜圧増加によって反射光（矢印Ｐ）は強まるので、ディスプレイ３Ａの光（矢印Ｐ）を視認することが難しくなる。従って、他人がディスプレイ３Ａを横から覗き込む場合であっても、表示内容を把握することが出来ないので、利用者のプライバシーを保護することが可能になる。
【００２２】
最表面に形成される印刷層５６には、図４に示されるようにカラー印刷像１００が印刷されている。特にこのカラー印刷像１００は４色原料の合成（組み合わせ）による４色印刷であり、更に、貼り付けられた状態でディスプレイ３Ａの発光領域Ｈ内に位置するように考慮されている。図４内の部分拡大円Ｋに示されているように、このカラー印刷像１００は、微細ドット（点）像Ｄが密に並べられて形成されており、それらの集合群を全体的に眺めると、結果としてカラー印刷像１００が構成されるようになっている。
【００２３】
従って、図５に示されるように、１つ１つの微細ドット像Ｄは極めて小さく、利用者が殆ど認識できないサイズに設定されているが、視線Ｘに示されるように、微細ドット像Ｄ以外（周囲）の空間からは、ディスプレイ３Ａの透過光（矢印Ｑ）が通過することが可能になっている。従って、このカラー印刷像１００の背後にあるディスプレイ３Ａの映像も視認可能である。また、ディスプレイ３ＡがＯＦＦ状態の場合は、カラー印刷像１００のみが利用者に視認可能になっている。既に説明したように、ディスプレイ３ＡがＯＦＦの状態では光反射層５４が鏡のように機能して高輝度を維持できるので、その影響でカラー印刷像１００が鮮やかに表示されることになる。
【００２４】
また、この微細ドット像Ｄはインクの塗布厚によって立体的（３次元的）に形成されていることから、視線Ｙのように保護フィルム５を斜めから眺める人は、このディスプレイ３Ａの光（矢印Ｑ）が微細ドット像Ｄによって遮断されるので、その光を視認することが難しくなる。この結果、印刷層５６自体もプライバシーを保護する機能を備えている。従って、ディスプレイ３Ａの発光領域Ｈ内に印刷層５６を形成し、デザイン性を高めながらも積極的にプライバシー保護に活用することが望ましいといえる。
【００２５】
壁紙配信サーバ２は、図６に示されるように、携帯電話３用の壁紙画像データ２４が蓄積されている壁紙画像データベース部２０と、携帯電話３からのリクエストに応じて、壁紙画像データ２４を携帯電話３に配信可能なＷＷＷサーバ部２２を備える。なお、電子メールの添付ファイルによって携帯電話３に壁紙画像データ２４を配信する場合は、ＳＭＴＰ機能を有するメール配信サーバアプリケーションをインストールしておくことが望ましい。
【００２６】
パッケージ６に表示されているＵＲＬ情報６４を携帯電話３のネットブラウザに入力し、インターネット等の公衆通信回線４を経由して壁紙配信サーバ２にアクセスすると、壁紙配信サーバ２におけるＷＷＷサーバ部２２は、利用者が購入した保護フィルム４のデザイン種別を把握する。デザイン種別の把握は、保護フィルム４のカラー印刷像１００のデザイン毎にＩＤを振り、そのＩＤをＵＲＬ情報６４に含めることによって実現する。ＷＷＷサーバ部２２は、アクセスされたＵＲＬ情報６４に含められたＩＤに対応する壁紙画像データ２４を壁紙画像データベース部２０から抽出し、携帯電話３に対して配信する。利用者は、受信した壁紙画像データ２４をディスプレイ３Ａの壁紙に設定し、作業は完了する。
【００２７】
この結果、図７に示されるように、携帯電話３のディスプレイ３Ａ上で、保護フィルム４のデザインＡと、壁紙画像データ２４のデザインＢを組み合わせることが可能になり、アナログ的なカラー印刷像１００とデジタルデータの壁紙画像データ２４を融合させて、利用者を楽しませることができる。
【００２８】
以上、本実施形態では、印刷層５６が最表面に形成されている場合を示したが、印刷層５６の微細ドット像Ｄの剥離を防止するために、更に上層に保護層を形成しても構わない。また、保護基材層５０の背面側に印刷層５６を形成し、その更に背面側に接着層を形成するようにしてもよい。また、光反射層５４は、ここでは保護基材層５０の表面側に形成する場合を示したが、本発明はそれに限定されず、背面側に形成しても構わない。なお、この光反射層５４は保護基材層５０に対して光反射機能を付与するために形成したものであり、保護基材層５０の一部として考えることもできる。本発明の要旨としては、光反射特性と光透過特性を保護基材層５０に持たせることが出来れば十分であり、それは、保護基材層５０の内部・外部にあるかは問わない。
【００２９】
また、本実施形態では図４に示したように、微細ドット像Ｄの集合によってカラー印刷像１００を構成する場合を示したが本発明はそれに限定されない。例えば図８に示されるように、平行する極細の線形像Ｓの集合を印刷することでカラー印刷像１００を形成するようにしても良い。このようにすれば、この線形像Ｓ以外の空間によって、ディスプレイの光が印刷画像を透過可能となり、一方、保護フィルム５を斜めから見た場合、線形像Ｓのインク厚によってディスプレイの映像が視認しにくくなり、プライバシーを守ることも可能になる。
【００３０】
又更に、保護基材層として偏向特性を有するようにしても良い。プライバシーを守る点では、ディスプレイの視野角を狭める偏向特性を有するフィルムを使用する。また、ここでは携帯端末として携帯電話機を示したが、本発明はそれに限定されない。例えば、電話機能は有していないが、電子メールやスケジュール管理機能等を備えるＰＤＡ等においても本発明を適用することが可能である。
【００３１】
また、上記実施の形態では端末装置として携帯端末を中心に説明したが、パーソナルコンピュータのディスプレイなどにも用いることも可能である。
【産業上の利用可能性】
【００３２】
本発明は、携帯端末等の各種ディスプレイを保護する産業に用いることが可能である。
【図面の簡単な説明】
【００３３】
【図１】本発明の実施の形態に係る画像配信システムを示す全体構成図
【図２】同実施の形態における保護フィルムの流通状態を示した図
【図３】同保護フィルムの拡大断面図
【図４】同保護フィルムの全体斜視図
【図５】同保護フィルムの拡大断面図
【図６】同実施の形態における壁紙配信サーバの概略構成を示すブロック図
【図７】同保護フィルムがディスプレイに貼り付けられた状態を示す部分斜視図
【図８】同実施の形態の他の保護フィルムの構成を示す斜視図
【符号の説明】
【００３４】
１      画像配信システム
２      壁紙配信サーバ
３      携帯電話
４      公衆通信回線
５      保護フィルム
６      商品パッケージ
５０    保護基材層
５２    接着層
５４    光反射層
５６    印刷層
１００  カラー印刷像
【図１】
2006091353.tif 000003
【図２】
2006091353.tif 000004
【図３】
2006091353.tif 000005
【図４】
2006091353.tif 000006
【図５】
2006091353.tif 000007
【図６】
2006091353.tif 000008
【図７】
2006091353.tif 000009
【図８】
2006091353.tif 000010